(57)【要約】【課題】電柱に配置した広告装置に手軽にポスター等を掲示できるようにすると共に、掲示時期が過ぎたポスター等を確実に処分できるものとする。【解決手段】電柱１２に広告装置１００を配置する。広告装置１００は、ポスターＰを見通せる透明部材１２５が配置されると共にロック装置１４０で施解錠される扉部材１２０を備える。ポスターＰは、所定期間の掲示に対する課金処理がなされた後解錠された扉部材１２０を通して、２つのローラ１３２、１３３に掛け渡された無端状のベルト部材１３４に配置された粘着部材１３５に貼り付けられ、その後扉部材１２０はロック装置１４０で施錠される。所定期間経過後、ベルト部材１３４が回転駆動され、ポスターＰは剥離刃１６１でベルト部材１３４から取り外される。【選択図】図３
2008262320.tif 000002
【特許請求の範囲】
【請求項１】
既存配置物に取り付け可能であり、内部が見通せる透明部材、及び、開閉動可能に配置された開閉部材を備えた筐体と、
掲示内容が記載されたシート部材を保持するシート部材保持部、及び、前記シートをシート保持部から取り外すシート部材取外部を備え、前記シート部材を前記筐体内に前記透明部材を通して視認可能に掲示するシート部材掲示部と、
前記シート部材をシート掲示部に所定期間掲示することに対する課金処理を行う課金処理部と、
前記開閉部材を施錠状態及び解錠状態とするロック装置と、
前記課金処理の完了後前記ロック装置を解錠状態とすると共に、前記開閉部材が閉状態とされた後前記ロック状態を施錠状態とするロック装置制御部と、
前記所定期間経過後前記シート部材取外部でシート保持部からシート部材を取り外すシート部材取外制御部と、
を備えることを特徴とする広告装置。
【請求項２】
前記シート部材掲示部は、
２つのローラ部材に掛け渡され前記シート部材が取り付け可能な無端ベルト状部材と、
前記無端ベルト状部材に配置され、前記シート部材を貼付できる粘着部材と、
前記ローラ部材のうち少なくとも一方を回転駆動するローラ回転駆動部と、
前記ローラ回転駆動部が駆動して前記無端ベルト部材が回転駆動されたとき前記シート部材と前記粘着部材との間に挿入され、シート部材を貼付部材から剥離させる剥離部材と、
を備えることを特徴とする請求項１記載の広告装置。
【請求項３】
前記シート掲示部は、
シート部材が配置される平板部材と、シート着脱装置とを備え、
前記シート着脱装置は、前記平板部材との間に前記シート部材を挟持可能な押圧部と、
前記押圧部を前記平板部材に押し付けるシート部材取り付け位置、及び、前記押圧部を前記平板部材から離間させるシート部材取外位置に配置可能な押圧部駆動装置を備えることを特徴とする請求項１記載の広告装置。
【請求項４】
前記課金処理部は、通貨の受領処理、課金用カードへの情報の書込読取処理を含む課金処理を行うことを特徴とする請求項１又は２記載の広告装置。
【請求項５】
前記筐体内に前記シート掲示部から取り外されたシート部材を受けるシート部材受部を備えることを特徴とする請求項１記載の広告装置。
【請求項６】
前記シート部材受け部には前記シート掲示部から取り外されたシート部材を圧縮する圧縮装置を備えることを特徴とする請求項１記載の広告装置。
【請求項７】
請求項１乃至７のいずれかに記載の広告装置を複数備え、各広告装置は通信網を介して前記広告装置の管理を行う管理サーバに接続することを特徴とする広告システム。
【請求項８】
前記各広告装置には、投入された現金の金額データを格納する手段を備え、
前記管理サーバには、各広告装置の金額データを取得する手段を備えることを特徴とする広告システム。
【請求項９】
前記広告装置の課金処理部は、課金用カードの保持者の識別情報を取得する手段を備え、前記管理サーバは前記カードの保持者についての使用者データを取得する使用者データ取得手段を備えることを特徴とする請求項７記載の広告システム。
【請求項１０】
前記広告装置の課金処理部は、課金の時期についての時期データを取得する手段を備え、前記管理サーバは前記時期データを取得する手段を備えることを特徴とする請求項７記載の広告システム。
【請求項１１】
前記管理サーバは、取得した課金データ、使用者データ、及び時期データの少なくとも１つのデータから使用者別の個別広告データを作成する手段を備えることを特徴とする請求項７記載の広告システム。
【発明の詳細な説明】
【技術分野】
【０００１】
この発明は広告装置及び広告システムに係り、特に電柱等の既存の配置物に取り付けることができる広告装置及びこの広告装置を利用した広告システムに関する。
【背景技術】
【０００２】
既設の配置物である電柱を利用した屋外広告である電柱広告は、所定の広告効果を有するものとして広く利用されている。この電柱広告として以下のものがある。
【０００３】
図１１は従来の電柱広告を示す模式図である。
【０００４】
電柱広告は、図１１に示すように、地面１１に立設された電柱１２に直接巻き付けられ表示される巻広告２０と、電柱の上部に突き出して表示される掛広告３０とがある。
【０００５】
巻広告２０は電柱１２の下部に、金属板材からなる広告板２１を電柱１２に巻き付けるように取り付けるものである。広告板２１には広告文字２２及び現住所表示２３が記載される。
【０００６】
また、掛広告３０は、電柱１２の上部に、金属板材からなる広告板３１を取り付けるものである。広告板３１は、鉄枠などの取付金具３２で電柱１２に取り付けられ、広告板３１には広告文字３３が掲載される。
【０００７】
このような電柱広告に関して特許文献１に記載がある。特許文献１には、凹設された電柱挟持部を備えた２部材の隣接する両端をヒンジ部で拡開可能に接合して、前記電柱挟持部で電柱を挟んでヒンジ部に対向する２部材の他端をボルト等で接合して電柱に固定し、その表面に広告板、ポスター等を貼り付けるようにした電柱広告取付器が記載されている。
【０００８】
【特許文献１】実用新案登録第３０４２２００号
【発明の開示】
【発明が解決しようとする課題】
【０００９】
しかし上述した電柱広告にあっては、広告掲示のための広告板を作成して電柱に取り付ける必要があり、広告の掲示に際しては電柱所有者の許可を得て掲示する必要がある。このような電柱広告は具体的には広告代理店等に依頼して行うこととなる。また、このような電柱広告は、一旦広告が配置されると、その広告内容を容易に変更することができないため恒久的な広告にしか利用することができないという問題がある。
【００１０】
一方、電柱には、一時的な広告のため電柱の所有者に無断でポスターが貼られたり、無断で看板等が取り付けられることがあり、これらが放置されることにより周囲の美観を損ねたりする等の被害が発生することがある。
【００１１】
そこで本発明は、手軽にポスター等の広告シートを電柱に掲示することができるようにすると共に掲示時期が過ぎた広告シートを確実に処分することができる広告装置を提供することを目的とする。
【課題を解決するための手段】
【００１２】
本発明において、前記の目的を達成するための手段は、既存配置物に取り付け可能であり、内部が見通せる透明部材、及び、開閉動可能に配置された開閉部材を備えた筐体と、掲示内容が記載されたシート部材を保持するシート部材保持部、及び、前記シートをシート保持部から取り外すシート部材取外部を備え、前記シート部材を前記筐体内に前記透明部材を通して視認可能に掲示するシート部材掲示部と、前記シート部材をシート掲示部に所定期間掲示することに対する課金処理を行う課金処理部と、前記開閉部材を施錠状態及び解錠状態とするロック装置と、前記課金処理の完了後前記ロック装置を解錠状態とすると共に、前記開閉部材が閉状態とされた後前記ロック状態を施錠状態とするロック装置制御部と、前記所定期間経過後前記シート部材取外部でシート保持部からシート部材を取り外すシート部材取外制御部と、を備えることを特徴とする広告装置である。
【００１３】
また本発明の手段は、前記広告装置を複数備え、各広告装置は通信網を介して前記広告装置の管理を行う管理サーバに接続したことを特徴とする広告システムである。
【発明の効果】
【００１４】
本発明に係る広告装置によれば、課金処理部で課金処理が実行されると、施解錠制御部は、ロック装置を解錠状態として開閉部材を開けて筐体内のシート掲示部にシート部材を取り付け可能な状態とする。その後シート部材の掲示後所定時期になると、シート取外制御部は、シート保持部からシート部材を取り外す。このため、シート部材の掲示希望者は所定の料金を支払うことにより容易に広告装置にシート部材を掲示することができる他、掲示されたシート部材は自動的に取り外し処理され、次のシート部材掲示を行える状態となる。このため、手軽にポスター等の広告シートを電柱に掲示することができるようにすると共に掲示時期が過ぎた広告シートを確実に処分することができる。
【００１５】
また、本発明に係る広告システムによれば、配置された広告装置から各種データを管理サーバに収集することができ、管理サーバに収集したデータに基づいて広告装置の管理を適正に行うことができる。
【発明を実施するための最良の形態】
【００１６】
以下、本発明に係る広告装置及び広告システムの実施例を図１乃至図１０に基づいて説明する。
【００１７】
まず、実施の形態例に係る広告装置について説明する。図１は電柱に取り付けられた広告装置を示す図であり、(ａ)は正面図、（ｂ）は側面図、図２は広告装置を示す正面図、図３は広告装置を示す概略断面図、図４はシート取外機構を示す拡大側面図である。
【００１８】
広告装置１００は、電柱１２に取り付けられる筐体１１０を備えており、筐体１１０にはその一方面に形成された開閉部材である扉部材１２０が配置されている。また、筐体１１０にはシート掲示部１３０、ロック装置１４０、硬貨処理部１５０、シート取外機構１６０、及び、駆動制御部１７０が配置されている。
【００１９】
筐体１１０は、電柱１２に取付金具１０１で取り付けられる金属製の箱状部材である。扉部材１２０は、筐体１１０の電柱１２の取付側とは反対の側（表側）に形成され、ヒンジ部１２２で筐体１１０に開閉自在に配置されている。扉部材１２０はその外周に枠部材１２１が配置され、枠部材１２１には、開閉用の取手１２３が配置されている他、枠部材１２１の内側には、ポリカーボネート樹脂等の透明合成樹脂製の透明部材１２５が配置され、内部に配置された前記ポスターＰ等の掲示が視認できるようになっている。
【００２０】
シート掲示部１３０は、筐体１１０内の前記ポスターＰが視認可能な位置に配置される。シート掲示部１３０は、モータ、ギヤボックス等を備えたローラ駆動部１３１で駆動される駆動ローラ１３２と、従動ローラ１３３とを備え、ローラ駆動部１３１と駆動ローラ１３２との間には樹脂製の無端状のベルト部材１３４が掛け渡されている。また、ベルト部材１３４にはポスターＰ取り付け用の粘着部材１３５が配置されている。この粘着部材１３５はベルト部材１３４に所定の間隔を開け複数（本例では２個）配置される。
【００２１】
シート掲示部１３０は、ローラ駆動部１３１が駆動されることにより、駆動ローラ１３２が回転し、ベルト部材１３４が駆動ローラ１３２と従動ローラ１３３との間で循環して移動する。これにより、粘着部材１３５でベルト部材１３４に貼り付けられていたポスターＰは、視認可能な掲示位置から下方に移動されシート取外機構１６０でベルト部材１３４から取り外される。
【００２２】
ロック装置１４０は、駆動制御部１７０の制御で動作する電磁錠であり、扉部材１２０が閉状態である常時は、施錠状態とされ扉部材１２０の開動作を禁止している。ロック装置１４０が解錠状態となると、扉部材１２０はヒンジ部１２２を軸として開状態とすることができ、シート掲示部１３０にポスターＰを配置することができるようになる。
【００２３】
また、筐体１１０内には、課金処理部である硬貨処理部１５０が配置されており、筐体１１０に開設された硬貨投入孔１１１から投入された硬貨の受領処理を行う。この硬貨処理部１５０は、硬貨の種別判定及び真偽判定を行い、受領した硬貨が所定の額面の真貨であるとき、駆動制御部１７０に硬貨受領信号を発生する。また必要に応じて釣銭装置を配置することができる。
【００２４】
本例においてシート取外機構１６０は、前記シート掲示部１３０のベルト部材１３４に配置された粘着部材１３５からポスターＰを剥がす剥離刃１６１と、ベルト部材１３４から剥がされたポスターＰを収納するバケット１６２とを備えている。なお、バケット１６２に収納されたポスターＰは係員により定期的に回収されるものとする。このバケット１６２に圧縮装置を設けておけば、多量のポスターＰを収納することができ、回収の間隔を長いものとすることができる。
【００２５】
剥離刃１６１は、図４に示すように、その刃先１６１ａが、ベルト部材１３４が駆動されたとき粘着部材１３５とポスターＰとの接合面に入り込むように配置されている。
【００２６】
駆動制御部１７０はマイクロコンピュータを備え、予め格納されたプログラムを実行することにより、以下の制御を行う。即ち、駆動制御部１７０は、硬貨処理部１５０の硬貨受領信号を受け、ロック装置１４０の施解錠の制御、及び、シート掲示部１３０を駆動してシート取外機構１６０でポスターＰの取り外しの制御を行う。
【００２７】
また、駆動制御部１７０は、扉部材１２０の開閉を検知する扉開閉センサ１７１と、ポスターＰの有無を確認する光センサで構成されたシート部材センサ１７２とを備える。ここで、扉開閉センサ１７１は例えばマイクロスイッチで構成され、扉部材１２０に接触して扉部材１２０の開閉状態を検出する。また、シート部材センサ１７２は例えばベルト部材１３４に開設された穴部１３４ａを挟んで配置された透過型の光センサで構成され、ベルト部材１３４上のポスターＰの有無を検出する。また、駆動制御部１７０には、ポスターＰの延長掲示を行う場合の延長ボタン（図示していない）を備えている。
【００２８】
そして、駆動制御部１７０は以下のように広告装置１００の作動を制御する。この例では、広告装置１００は、１枚の硬貨（例えば１００円硬貨）で所定期間（例えば７日間）ポスターＰを掲示することができるものとする。
【００２９】
まず、広告装置１００にポスターＰを新規設置する場合について説明する。図５はシート部材の新規設置の処理を示すフローチャートである。
【００３０】
この状態では、広告装置１００のシート掲示部１３０からポスターＰが取り付けられていない。また、ベルト部材１３４の粘着部材１３５は扉部材１２０側を向いて配置され、ポスターＰを掲示できる状態になっている。
【００３１】
利用者が硬貨投入孔１１１から硬貨を投入すると、硬貨処理部１５０は投入された硬貨の種別及び真偽を判定する。硬貨が所定の金額でないとき及び偽貨であるときには硬貨は返却口（図示していない）に返却される。
【００３２】
所定の金額の硬貨（１００円硬貨）が投入されると（ステップＳＴ１１のＹｅｓ）、硬貨処理部１５０は硬貨受領信号を発生し、駆動制御部１７０は硬貨受領信号を受けロック装置１４０を解錠状態とする（ステップＳＴ１２）。これで、利用者が扉部材１２０を開くことができるようになる。使用者は、扉部材１２０を開き、シート掲示部１３０にポスターＰを粘着部材１３５を使用して貼り付け、扉部材１２０を閉じる。
【００３３】
このとき、駆動制御部１７０は、扉開閉センサ１７１で扉部材１２０の開閉を確認し（ステップＳＴ１３のＹｅｓ）、シート部材センサ１７２でベルト部材１３４にポスターＰが取り付けられたことを確認し（ステップＳＴ１４のＹｅｓ）、更に扉開閉センサ１７１で扉部材１２０の閉状態を確認し（ステップＳＴ１５のＹｅｓ）、ロック装置１４０を施錠状態とし、扉部材１２０の開放を禁止する（ステップＳＴ１６）。
【００３４】
この状態で駆動制御部１７０はタイマを始動する。なお、扉部材１２０の開状態を確認できない場合（ステップＳＴ１３のＮｏ）、ポスターＰを検知できない場合（ステップＳＴ１４のＮｏ）、扉部材１２０の閉状態を確認できない場合（ステップＳＴ１５のＮｏ）には所定のエラー処理を行う（ステップＳＴ１８）。
【００３５】
このタイマは所定の時期（この例では７日間）を計測して、掲示終了信号を発生する。駆動制御部１７０は、掲示終了信号を受けると、シート掲示部１３０を駆動してシート取外機構１６０によるシート部材の取外処理を行う。
【００３６】
次にシート部材の取り外し処理について説明する。図６はシート部材の取外処理を示すフローチャートである。
【００３７】
ポスターＰを掲示して所定期間、例えば７日が経過すると、上述したようにタイマから終了信号が出力される（ステップＳＴ２１）。駆動制御部１７０はシート部材センサ１７２でポスターＰを検知した後（ステップＳＴ２２のＹｅｓ）、ローラ駆動部１３１で駆動ローラ１３２を駆動して、ベルト部材１３４を一巡させる（ステップＳＴ２３）。この動作により、ベルト部材１３４の粘着部材１３５に貼付されたポスターＰは、剥離刃１６１で粘着部材１３５から剥がされて、バケット１６２内に落下して格納される。駆動制御部１７０はシート部材センサ１７２でポスターＰが取り外されるまでベルトを回転させる（ステップＳＴ２３、ステップＳＴ２４）。これにより、ポスターＰの取り外し処理は完了する。なお、ポスターＰが検出できない場合（ステップＳＴ２２のＮｏ）所定のエラー処理を行う（ステップＳＴ２５）。
【００３８】
次に、ポスターＰを延長して掲示する場合について説明する。本例に係る広告装置１００は、駆動制御部１７０のタイマが終了信号を発生するまでに料金が追加されたときには、ポスターを延長して掲示することができる。図７はシート部材の掲示延長処理を示すフローチャートである。
【００３９】
駆動制御部１７０の延長ボタンが押下されると（ステップＳＴ３１のＹｅｓ）、駆動制御部１７０は、硬貨処理部１５０からの硬貨受領信号を受け（ステップＳＴ３２のＹｅｓ）、タイマを再始動させ（ステップＳＴ３３）、ポスターＰの掲示期間を延長する。延長ボタンが押下されない場合（ステップＳＴ３１のＮｏ）、硬貨が投入されない場合には、通常の取外処理がなされる（ステップＳＴ３４）。
【００４０】
以上説明したように、本例に係る広告装置１００によれば、手軽にポスター等の広告シートを電柱に配置した広告装置に掲示することができる他、広告装置１００は掲示時期が過ぎた広告シートを自動的に剥がし確実に処分することができる。
【００４１】
なお、上記例では、シート掲示部として無端ベルトを使用し、シート取外機構として剥離刃を使用したが、他の構成のものを採用することができる。
【００４２】
図８はシート掲示部の例を示す図であり、(ａ)はシート部材の取付時の状態を示す側面図、（ｂ）はシート部材の取外時の状態を示す側面図である。
【００４３】
この例では、シート掲示部２００には、筐体内に鉛直方向に延設される平板部材２１０を備える。平板部材２１０は、背板２１１と、背板２１１の上端から前側に突出する突出板２１２と、突出板２１２の先端から垂下される垂下板２１３を備える。
【００４４】
また、シート掲示部２００には、押圧部２５４を備え進退動されるシート部材取付部材２５０と、図示していない駆動制御部で駆動制御される押圧部駆動装置であるソレノイド装置２４０とを備えている。シート部材取付部材２５０は前記ソレノイド部材２４０から垂下板２１３を貫通して配置されるロッド部材２５１と、ロッド部材２５１の先端から垂下される垂下部２５２と、垂下部２５２の先端から垂下板２３０を貫通して背板２１１方向に延設される第２のロッド部材２５３と、第２のロッド部材２５３の先端に形成された押圧部２５４を備えている。また、第２のロッド部材２５３には、垂下板２３０と押圧部２５４との間に圧縮コイルスプリング２６０が配置されており、シート部材取付部材２５０の押圧部２５４を常時背板２１１に接触させるよう付勢している。
【００４５】
そして、ポスターＰの保持時には、図８（ａ）に示すように、ソレノイド２４０は非通電状態でありシート部材取付部材２５０を駆動しておらず、押圧部２５４は圧縮コイルスプリング２６０で背板２１１に接触するよう押圧されてシート部材取付位置に配置される。
【００４６】
ポスターＰの取外時には、ソレノイド２４０は励起されてシート部材取付部材２５０は押し出され、図８（ｂ）に示すように、押圧部２５４が背板２１１から離間した状態であるシート部材取外位置となり、ポスターＰはシート掲示部２００から落下する状態となる。
【００４７】
従って本例に係るシート掲示部２００を備えた広告装置によっても上記第１の例に係る広告装置と同様に手軽にポスター等の広告シートを電柱に配置した広告装置に掲示することができる他、広告装置は掲示時期が過ぎた広告シートを自動的に取り外し、確実に処分することができる。
【００４８】
次に本発明に係る広告装置を使用した広告システムについて説明する。本例に係る広告システムは、多数の広告装置をネットワークで管理センターに配置した管理サーバに接続して、広告装置でのプリペイドカード、磁気カード、ＩＣカードの使用を可能とする他、利用者に各種データを通知し、利用者と設置者の利便を図るものである。
【００４９】
図９は広告システムの構成を示すブロック図、図１０は広告システムの広告装置の構成を示すブロック図である。
【００５０】
本例に係る広告システム３００は、図９に示すように、複数の広告装置４００をインターネット等の通信網５００を介して管理サーバ６００に接続するものである。
【００５１】
広告装置４００は、前記例で示した広告装置と同様に電柱に配置されており、同様の筐体、扉部材、及び、透明部材を備えている。また、広告装置４００は、その内部に図８で示したシート掲示部２００と同様の構成を備えたシート掲示部を備え、シート掲示部には、シート部材保持部４１０及び図示しない取り外したポスターＰを回収するバケットを備える。バケットには満杯センサを配置するようにしている。
【００５２】
また、広告装置４００は、ロック装置４２０、制御装置４３０、扉開閉センサ４４０、シート部材センサ４５０、窓監視センサ４６０、及び、通信装置４７０を備える。ロック装置４２０は、扉部材の施解錠を行い、扉開閉センサ４４０は扉部材の開閉状態を検出し、シート部材センサ４５０はシートの有無を検出する。また、窓監視センサ４６０は、光センサであり、透明部材に他のポスターなどが貼られたことを検出する。通信装置４７０は広告装置４００を通信網５００に接続する例えば有線、あるいは無線の装置である。
【００５３】
制御装置４３０には、前記ロック装置４２０の施解錠制御を行う施解錠制御部４３１と、前記シート部材保持部４１０の駆動制御を行うシート部材保持制御部４３２と、硬貨及び紙幣での課金処理を行う現金処理部４３３と、磁気カード及びＩＣカードでの課金処理を行うカード処理部４３４と、課金処理終了からの時間を計測するタイマ４３６と、広告装置４００の全体の制御を行う制御部４３５とを備える。そして、広告装置４００は前述した第１の例に係る広告装置１００と同様に新規設置処理、取外処理、延長処理などを行うものである。
【００５４】
本例に係る広告システム３００の各広告装置４００は、前記第１の例で示した硬貨による課金処理の他、カード処理部４３４によって磁気カード、ＩＣカードによるプリペイドカードシステムや、クレジットカードシステム等の後課金システムを使用した課金処理を行うものとしている。
【００５５】
そして、これらの一連の処理に際しては、カード処理部４３４は、使用者ＩＤ、使用時期、課金内容等を取得し、これらのデータを一時格納してその後の課金処理を行う。これらのカードを使用した課金処理においては、制御部４３５はその取引内容を通信装置４７０を介して管理サーバ６００に送信する。送信される内容は、広告装置のＩＤ、今回課金状態、今回使用者ＩＤ、今回使用時期とすることができる。
【００５６】
管理サーバ６００は、各広告装置４００からの送信される情報に基づいて使用データベースを構築して、使用者ごとの課金内容、広告装置の使用状態を把握し、使用者に通知する。そして、この通知に基づいて広告掲示の金額や広告掲示時期や期間の管理を行うことができる。
【００５７】
また、広告装置４００は、現金処理部４３３の現金備蓄状態を通信装置４７０を介して管理サーバ６００に送信する。広告装置４００の管理者は、管理サーバ６００に送信された現金備蓄状態に基づいて広告装置４００の集金管理を行うことができる。
【００５８】
更に、本例に係る広告システム３００では、広告装置４００には窓監視センサ４６０を配置して透明部材に貼付される違法ポスター等の異物を検出し、通信装置４７０で管理サーバ６００に送信することができ、管理者は異物の除去を速やかに行うことができる。また、満杯センサでバケットの満杯情報を得たときにバケット内の廃棄ポスターを回収するようにすれば、バケットが満杯となり広告装置４００が使用不能の状態になるのを事前に防止することができる。
【００５９】
以上説明したように本例に係る広告システムによれば、各広告装置の使用状態の把握及び保守の管理を効率的に行うことができる他、広告装置の使用者に対して使用状態、課金状態を通知する等のサービスを行うことができる。
【図面の簡単な説明】
【００６０】
【図１】電柱に取り付けられた広告装置を示す図であり、(ａ)は正面図、（ｂ）は側面図である。
【図２】広告装置を示す正面図である
【図３】広告装置を示す概略断面図である。
【図４】シート取外部を示す拡大側面図である。
【図５】シート部材の新規設置の処理を示すフローチャートである。
【図６】シート部材の取外処理を示すフローチャートである。
【図７】シート部材の掲示延長処理を示すフローチャートである。
【図８】シート掲示部の他の例を示す図であり、(ａ)はシート部材の取り付け時の状態を示す側面図、（ｂ）はシート部材の取外時の状態を示す側面図である。
【図９】広告システムの構成を示すブロック図である。
【図１０】広告システムの広告装置の構成を示すブロック図である。
【図１１】従来の電柱広告を示す模式図である。
【符号の説明】
【００６１】
１００・・・広告装置
１１０・・・筐体
１２０・・・扉部材（開閉部材）
１２５・・・透明部材
１３０・・・シート掲示部
１３１・・・ローラ駆動部（シート取外部）
１３２・・・駆動ローラ
１３３・・・従動ローラ
１３４・・・ベルト部材
１３５・・・粘着部材（シート取り付け部）
１４０・・・ロック装置
１５０・・・硬貨処理部（課金処理）
１６１・・・剥離刃（シート取外部）
１６２・・・バケット
１７０・・・駆動制御部
【図１】
2008262320.tif 000003
【図２】
2008262320.tif 000004
【図３】
2008262320.tif 000005
【図４】
2008262320.tif 000006
【図５】
2008262320.tif 000007
【図６】
2008262320.tif 000008
【図７】
2008262320.tif 000009
【図８】
2008262320.tif 000010
【図９】
2008262320.tif 000011
【図１０】
2008262320.tif 000012
【図１１】
2008262320.tif 000013